(57)【特許請求の範囲】
【請求項１】
熱源機と通信可能に接続されて、該熱源機から供給される熱媒を熱源として暖房を行う暖房端末装置であって、
熱源機と通信ケーブルを介して接続される第１の端子及び第２の端子と、
該第１の端子と該第２の端子とを接続する第１の通電路に設けられて、該第１の通電路を導通状態と遮断状態とに切替える第１のスイッチ回路と、該第１の通電路における通電の有無を検出する通電検出手段と、
前記第１の端子と前記第２の端子とを接続する第２の通電路に設けられて、該第２の通電路を導通状態と遮断状態とに切替える第２のスイッチ回路と、
前記第１の端子及び前記第２の端子に通信ケーブルを介して熱源機が接続されたときに、前記第２のスイッチ回路を開状態として、前記第１のスイッチ回路を閉状態と開状態とに切替えることにより該熱源機に所定の応答要求信号を送信した後、前記第２のスイッチ回路を開状態とし且つ前記第１のスイッチ回路を閉状態とし、前記通電検出手段により前記第１の通電路の通電の有無を検出することにより、所定時間内に該熱源機から所定の応答信号を受信したときは該熱源機が双方向通信仕様であると検知し、該応答信号を受信しなかったときには該熱源機が一方向通信仕様であると検知する通信仕様検知手段と、
該通信仕様検知手段により、前記熱源機が双方向通信仕様であると検知されたときに、前記第２のスイッチ回路を開状態に維持して、前記第１のスイッチ回路を閉状態と開状態とに切替えて該熱源機に信号を送信すると共に、前記第１のスイッチ回路を閉状態として前記通電検出手段により通電を検出することによって該熱源機からの信号を受信する双方向通信制御手段と、
前記通信仕様検知手段により、前記熱源機が一方向通信仕様であると検知されたときに、前記第１のスイッチ回路を開状態に維持して、前記第２のスイッチ回路を閉状態と開状態とに切替えて該熱源機に信号を送信する一方向通信制御手段とを備えたことを特徴とする暖房端末装置。
【請求項２】
熱源機と通信可能に接続されて、該熱源機から供給される熱媒を熱源として暖房を行う暖房端末装置であって、
熱源機と通信ケーブルを介して接続される第１の端子及び第２の端子と、
該第１の端子と該第２の端子とを接続する通電路に設けられて、該通電路を導通状態と遮断状態とに切替える第１のスイッチ回路と、該通電路における通電の有無を検出する通電検出手段と、
前記通電路に設けられた抵抗と、該抵抗と並列に接続された第２のスイッチ回路と、
前記第１の端子及び前記第２の端子に通信ケーブルを介して熱源機が接続されたときに、前記第２のスイッチ回路を開状態として、前記第１のスイッチ回路を開状態と閉状態とに切替えることにより該熱源機に所定の応答要求信号を送信した後、前記第２のスイッチ回路を開状態とし且つ前記第１のスイッチ回路を閉状態とし、前記通電検出手段により前記第１の通電路の通電の有無を検出することにより、所定時間内に該熱源機から所定の応答信号を受信したときは該熱源機が双方向通信仕様であると検知し、該応答信号を受信しなかったときには該熱源機が一方向通信仕様であると検知する通信仕様検知手段と、
該通信仕様検知手段により、前記熱源機が双方向通信仕様であると検知されたときに、前記第２のスイッチ回路を開状態に維持して、前記第１のスイッチ回路を開状態と閉状態とに切替えて該熱源機に信号を送信すると共に、前記第１のスイッチ回路を閉状態として前記通電検出手段により通電を検出することによって該熱源機からの信号を受信する双方向通信制御手段と、
前記通信仕様検知手段により、前記熱源機が一方向通信仕様であると検知されたときに、前記第１のスイッチ回路を閉状態に維持して、前記第２のスイッチ回路を閉状態と開状態とに切替えて該熱源機に信号を送信する一方向通信制御手段とを備えたことを特徴とする暖房端末装置。
【発明の詳細な説明】
【技術分野】
【０００１】
本発明は、熱源機から供給される熱媒を熱源として暖房を行う暖房端末装置に関し、特に熱源機と暖房端末装置間の通信態様に関する。
【背景技術】
【０００２】
従来より、例えば、熱源機から供給される温水を熱源として室内を暖房する温風暖房機や床暖房機等の暖房端末装置が知られている。そして、暖房端末装置と熱源機とは通信可能に接続され、使用者が暖房端末装置に備えられた運転スイッチを操作して、暖房運転の開始を指示したときに、暖房端末装置から熱源機に対して作動開始を要求する信号が送信され、これにより熱源機が作動を開始して暖房端末装置への温水の供給が開始される。
【０００３】
ここで、熱源機と暖房端末装置間の通信仕様としては、暖房端末装置から熱源機への信号の送信のみが可能で、熱源機から暖房端末装置への信号の送信が不能な一方向通信を採用した暖房システム（例えば、特許文献１参照）と、熱源機と暖房端末装置間で相互に信号の送受信が可能な双方向通信仕様を採用した暖房システムがある。
【０００４】
そして、一方向通信と双方向通信では、必要となる回路構成が相違することから、暖房システムの設置に際しては、熱源機の通信仕様に合わせて、通信仕様が同一である暖房端末装置を選択して設置する必要がある。しかし、内部の通信仕様が異なっても暖房端末装置の外観は同一であるため、施工者が誤って熱源機と通信仕様が異なる暖房端末装置を設置してしまうことが考えられ、この場合には、熱源機と暖房端末装置間の通信が不能となって暖房運転を実行することができないという不都合がある。
【特許文献１】特開２００１−１１６２６８
【発明の開示】
【発明が解決しようとする課題】
【０００５】
本発明は上記不都合を解消し、熱源機との組み合わせの誤りにより、熱源機と暖房端末装置間の通信が不能となることを防止した暖房端末装置を提供することを目的とする。
【課題を解決するための手段】
【０００６】
本発明は上記目的を達成するためになされたものであり、本発明の第１の態様は、  熱源機と通信可能に接続されて、該熱源機から供給される熱媒を熱源として暖房を行う暖房端末装置であって、熱源機と通信ケーブルを介して接続される第１の端子及び第２の端子と、該第１の端子と該第２の端子とを接続する第１の通電路に設けられて、該第１の通電路を導通状態と遮断状態とに切替える第１のスイッチ回路と、該第１の通電路における通電の有無を検出する通電検出手段と、前記第１の端子と前記第２の端子とを接続する第２の通電路に設けられて、該第２の通電路を導通状態と遮断状態とに切替える第２のスイッチ回路と、前記第１の端子及び前記第２の端子に通信ケーブルを介して熱源機が接続されたときに、前記第２のスイッチ回路を開状態として、前記第１のスイッチ回路を閉状態と開状態とに切替えることにより該熱源機に所定の応答要求信号を送信した後、前記第２のスイッチ回路を開状態とし且つ前記第１のスイッチ回路を閉状態とし、前記通電検出手段により前記第１の通電路の通電の有無を検出することにより、所定時間内に該熱源機から所定の応答信号を受信したときは該熱源機が双方向通信仕様であると検知し、該応答信号を受信しなかったときには該熱源機が一方向通信仕様であると検知する通信仕様検知手段と、該通信仕様検知手段により、前記熱源機が双方向通信仕様であると検知されたときに、前記第２のスイッチ回路を開状態に維持して、前記第１のスイッチ回路を閉状態と開状態とに切替えて該熱源機に信号を送信すると共に、前記第１のスイッチ回路を閉状態として前記通電検出手段により通電を検出することによって該熱源機からの信号を受信する双方向通信制御手段と、前記通信仕様検知手段により、前記熱源機が一方向通信仕様であると検知されたときに、前記第１のスイッチ回路を開状態に維持して、前記第２のスイッチ回路を閉状態と開状態とに切替えて該熱源機に信号を送信する一方向通信制御手段とを備えたことを特徴とする。
【０００７】
また、本発明の第２の態様は、熱源機と通信可能に接続されて、該熱源機から供給される熱媒を熱源として暖房を行う暖房端末装置であって、熱源機と通信ケーブルを介して接続される第１の端子及び第２の端子と、該第１の端子と該第２の端子とを接続する通電路に設けられて、該通電路を導通状態と遮断状態とに切替える第１のスイッチ回路と、該通電路における通電の有無を検出する通電検出手段と、前記通電路に設けられた抵抗と、該抵抗と並列に接続された第２のスイッチ回路と、前記第１の端子及び前記第２の端子に通信ケーブルを介して熱源機が接続されたときに、前記第２のスイッチ回路を開状態として、前記第１のスイッチ回路を開状態と閉状態とに切替えることにより該熱源機に所定の応答要求信号を送信した後、前記第２のスイッチ回路を開状態とし且つ前記第１のスイッチ回路を閉状態とし、前記通電検出手段により前記第１の通電路の通電の有無を検出することにより、所定時間内に該熱源機から所定の応答信号を受信したときは該熱源機が双方向通信仕様であると検知し、該応答信号を受信しなかったときには該熱源機が一方向通信仕様であると検知する通信仕様検知手段と、該通信仕様検知手段により、前記熱源機が双方向通信仕様であると検知されたときに、前記第２のスイッチ回路を開状態に維持して、前記第１のスイッチ回路を開状態と閉状態とに切替えて該熱源機に信号を送信すると共に、前記第１のスイッチ回路を閉状態として前記通電検出手段により通電を検出することによって該熱源機からの信号を受信する双方向通信制御手段と、前記通信仕様検知手段により、前記熱源機が一方向通信仕様であると検知されたときに、前記第１のスイッチ回路を閉状態に維持して、前記第２のスイッチ回路を閉状態と開状態とに切替えて該熱源機に信号を送信する一方向通信制御手段とを備えたことを特徴とする。
【０００８】
かかる本発明において、前記第１の態様及び前記第２の態様の通信仕様検知手段は、前記第１の端子及び前記第２の端子により通信ケーブルを介して熱源機と接続されたときに、前記第２のスイッチ回路を開状態として、前記第１のスイッチ回路を閉状態と開状態とに切替えることにより、熱源機に前記応答要求信号を送信する。この場合、接続された熱源機が双方向通信仕様であったときは、該応答要求信号を受信した熱源機から前記応答信号が返信されるが、接続された熱源機が一方向通信仕様であったときには、該熱源機から前記応答信号は返信されない。そのため、前記通信仕様検知手段は、前記応答要求信号を送信した後、前記所定時間内に前記応答信号を受信したか否かを確認することにより、接続された熱源機が双方向通信仕様であるか一方向通信仕様であるかを検知することができる。
【０００９】
そして、前記通信仕様検知手段により、接続された熱源機が双方向通信仕様であると検知されたときは、前記双方向通信制御手段により該熱源機との双方向通信が行われる。また、前記通信仕様検知手段により、接続された熱源機が一方向通信仕様であると検知されたときには、前記一方向通信制御手段により該熱源機との一方向通信が行われる。
【００１０】
この場合、熱源機が双方向通信仕様であるか一方向通信仕様であるかに拘らず、本発明の暖房端末装置を熱源機に接続しさえすれば、暖房端末装置と熱源機間の通信が可能になる。そのため、暖房端末装置の施工者は、熱源機の通信仕様（双方向通信／一方向通信）の違いに応じて、暖房端末装置を選択する必要がなく、暖房端末装置の誤選択により、熱源機と暖房端末装置間の通信が不能となることを防止することができる。
【００１１】
また、前記本発明の第１の態様によれば、前記第１の通電路と前記第２の通電路のインピーダンスを個別に設定することができるため、双方向通信を行う場合の前記第１の通電路における通電量と、一方向通信を行う場合の前記第２の通電路における通電量とを、接続される熱源機の通信手段の信号の入出力仕様に合わせて効率良く設定することができる。
【００１２】
また、前記本発明の第２の態様によれば、前記２のスイッチ回路が開状態であるときは前記第１の端子と前記第２の端子が前記抵抗を介して接続された状態となり、前記第２のスイッチ回路が閉状態であるときには前記第１の端子と前記第２の端子が前記抵抗をバイパスして接続された状態となる。そのため、前記第２のスイッチ回路を閉状態と開状態に切替えることで、前記第１の端子と前記第２の端子間のインピーダンスを変更することができる。そして、これにより、双方向通信を行う場合の前記第１の端子と前記第２の端子間の通電量と、一方向通信を行う場合の前記第１の端子と前記第２の端子間の通電量とを、接続される熱源機の通信手段の信号の入出力仕様に合わせて効率良く設定することができる。
【発明を実施するための最良の形態】
【００１３】
本発明の実施の形態について、図１〜図２を参照して説明する。図１は第１の実施形態における暖房端末装置の回路構成と熱源機との接続態様の説明図、図２は第２の実施形態における暖房端末装置の回路構成の説明図である。
【００１４】
［第１の実施形態］先ず、図１を参照して、第１の実施形態について説明する。図１に示した暖房端末装置１は、例えば温風暖房機や床暖房機であり、双方向通信仕様の熱源機１００又は一方向通信仕様の熱源機１５０と通信可能に接続して使用される。そして、熱源機１００又は熱源機１５０から供給される温水等の熱媒を熱源として暖房運転を行うものである。
【００１５】
暖房端末装置１は、暖房端末装置１の全体的な作動を制御するマイクロコンピュータ１０（以下、マイコン１０という）、フォトカプラ２０，２１，２２、ダイオードブリッジ３０、及び通信ケーブル５０ａ，５０ｂのプラグ４１と接続されるレセプタクル４０を備えている。
【００１６】
そして、レセプタクル４０の第１の端子４０ａと第２の端子４０ｂ間には、第１の通電路５と第２の通電路６とが接続されている。第１の通電路５の抵抗３５，３６間には、第１の端子４０ａと第２の端子４０ｂ間を無極性化するためのダイオードブリッジ３０を介して、フォトカプラ２０の発光ダイオード２２ａとフォトカプラ２１の受光トランジスタ２１ｂとが直列に接続されている。
【００１７】
ここで、フォトカプラ２１（本発明の第１のスイッチ回路に相当する）の発光ダイオード２１ａのアノードは電源Ｖ1に接続されカソードはマイコン１０の出力端子ＯＵＴ10に接続されている。そのため、ＯＵＴ10の出力電圧がＨiレベル（≒Ｖ1）であるときは、発光ダイオード２１ａに通電されず、受光トランジスタ２１ｂはＯＦＦ（開状態）となり、第１の通電路５は遮断状態となる。それに対して、ＯＵＴ10の出力がＬoレベル（≒０Ｖ）であるときには、発光ダイオード２１ａに通電されて受光トランジスタ２１ｂがＯＮ（閉状態）となり、第１の通電路５は導通状態となる。そのため、マイコン１０は、ＯＵＴ10の出力電圧をＬoレベル／Ｈiレベルに切替えることにより、第１の通電路５１を導通状態／遮断状態に切替えることができる。
【００１８】
また、第１の通電路５に所定レベル以上の電流が流れると、フォトカプラ２０（本発明の通電検出手段に相当する）の発光ダイオード２０ａの発光により受光トランジスタ２０ｂがＯＮ（閉状態）となり、マイコン１０の入力端子ＩＮ10に入力される電圧がＨiレベルとなる。一方、第１の通電路５に前記所定レベル以上の電流が流れていないときには、フォトカプラ２０の発光ダイオード２０ａが発光しないため、受光トランジスタ２０ｂはＯＦＦ（開状態）となり、マイコン１０の入力端子ＩＮ10に入力される電圧がＬoレベルとなる。そのため、マイコン１０は、ＩＮ10に入力される電圧（Ｌoレベル／Ｈiレベル）により、第１の導通路５の通電の有無を検出することができる。
【００１９】
また、マイコン１０の出力端子ＯＵＴ11の出力電圧がＨiレベルであるときは、フォトカプラ２２（本発明の第２のスイッチ回路に相当する）の発光ダイオード２２ａに通電されず、受光トランジスタ２２ｂはＯＦＦ（開状態）となり、第２の通電路６は遮断状態となる。それに対して、ＯＵＴ11の出力電圧がＬoレベルであるときには、発光ダイオード２２ａに通電されて受光トランジスタ２２ｂがＯＮ（閉状態）となり、第２の通電路６は導通状態となる。そのため、マイコン１０は、ＯＵＴ11の出力レベルをＨiレベル／Ｌoレベルに切替えることによって、第２の通電路６を導通状態と遮断状態とに切替えることができる。
【００２０】
次に、双方向通信仕様の熱源機１００は、暖房端末装置１との通信制御を行うマイクロコンピュータ１１０（以下、マイコン１１０という）、フォトカプラ１２０，１２１、及び通信ケーブル５０ａ，５０ｂのプラグ１４１と接続されるレセプタクル１４０を備えている。
【００２１】
レセプタクル１４０の第１の端子１４０ａは抵抗１３０を介して電源Ｖ2に接続されている。また、レセプタクル１４０の第２の端子１４０ｂとＧＮＤ間には、フォトカプラ１２０の発光ダイオード１２０ａとフォトカプラ１２１の受光トランジスタ１２１ｂと抵抗１３２とが直列に接続されている。
【００２２】
そして、フォトカプラ１２１の発光ダイオード１２１ａのアノードがマイコン１１０の出力端子ＯＵＴ20に接続され、カソードが抵抗１３３を介してＧＮＤに接続されている。そのため、ＯＵＴ20の出力がＨiレベル（≒Ｖ2）であるときは、発光ダイオード１２１ａに通電されて、受光トランジスタ１２１ｂはＯＮ（閉状態）となる。一方、ＯＵＴ20の出力がＬoレベル（≒０Ｖ）であるときには、発光ダイオード１２１ａに通電されず受光トランジスタ１２１ｂがＯＦＦ（開状態）となる。そのため、マイコン１１０は、ＯＵＴ20の出力（Ｈiレベル／Ｌoレベル）に切替えることにより、第２の端子１４０ｂとＧＮＤ間の導通／遮断を切替えることができる。
【００２３】
また、第１の端子１４０ａに接続された電源Ｖ2から、受光トランジスタ１２１ｂを介して第２の端子１４０ｂからＧＮＤに電流が流れると、フォトカプラ１２０の発光ダイオード１２０ａに通電されて受光トランジスタ１２０ｂがＯＮ（閉状態）となり、マイコン１１０の入力端子ＩＮ20に入力される電圧がＨiレベルとなる。一方、受光トランジスタ１２１ｂがＯＦＦのときは、フォトカプラ１２０の発光ダイオード１２０ａに通電されず、受光トランジスタ１２０がＯＦＦ（開状態）となり、マイコン１１０の入力端子ＩＮ20に入力される電圧がＬoレベルとなる。そのため、マイコン１１０は、ＩＮ20に入力される電圧により、第１の端子１４０ａ，１４０ｂ間が導通状態にあるか遮断状態にあるかを検知することができる。
【００２４】
次に、一方向通信仕様の熱源機１５０は、暖房端末装置１との通信制御を行うマイクロコンピュータ１６０（以下、マイコン１６０という）と、バッファ素子１７０、及び通信ケーブル５０ａ，５０ｂのプラグ１４１と接続されるレセプタクル１８０を備えている。
【００２５】
レセプタクル１８０の第１の端子１８０ａは電源Ｖ3と接続され、第２の端子１８０ｂはバッファ素子１７０の入力接続されている。そして、バッファ素子１７０の出力はマイコン１６０の入力端子ＩＮ30と接続されている。ここで、第１の端子１８０ａと第２の端子１８０ｂ間が導通状態となると、バッファ素子１７０からＩＮ30への入力電圧がＬoレベル（≒０Ｖ）となる。また、第１の端子１８０ａと第２の端子１８０ｂ間が遮断状態となると、バッファ素子１７０からＩＮ30への入力電圧がＨiレベル（≒Ｖ3）となる。
【００２６】
そのため、マイコン１６０は、ＩＮ30への入力（Ｈi／Ｌo）から、第１の端子１８０ａと第２の端子１８０ｂ間が導通状態にあるか遮断状態にあるかを検知することができる。
【００２７】
次に、暖房端末装置１のマイコン１０に備えられた通信仕様検知手段１１、双方向通信制御手段１２、及び一方向通信制御手段１３の作動について説明する。先ず、通信仕様検知手段１１は、暖房端末装置１が設置されて最初に電源が投入されたときに、通信ケーブル５０ａ，５０ｂを介して接続された熱源機が、双方向通信仕様の熱源機１００であるか一方向通信仕様の熱源機１５０であるかを検知する処理を行う。
【００２８】
具体的には、暖房端末装置１が設置されて最初に電源が投入され、マイコン１０が作動を開始したときに、通信仕様検知手段１１は、ＯＵＴ11の出力をＨiレベルとしてフォトカプラ２２の受光トランジスタ２２ｂをＯＦＦし、第２の通電路６を遮断状態とする。そして、通信仕様検知手段１１は、ＯＵＴ10の出力をＨiレベル／Ｌoレベルに切替えて、「応答要求信号」を送信する。
【００２９】
ここで、双方向通信仕様の熱源機１００においては、送信時以外はＯＵＴ20の出力がＨiレベルとされ、これによりフォトカプラ１２１の受光トランジスタ１２１ｂはＯＮ状態となっている。そのため、暖房端末装置１に双方向通信仕様の熱源機１００が接続されているときは、暖房端末装置１のフォトカプラ２１の受光トランジスタ２１ｂがＯＮ／ＯＦＦされると、それに応じて、熱源機１００のフォトカプラ１２０の発光ダイオード１２０ａに通電された状態と該発光ダイオード１２０ａへの通電が遮断された状態とが切り替る。そして、フォトカプラ１２０の発光ダイオード１２０ａに通電されているときは受光トランジスタ１２０ｂがＯＮ状態となるため、マイコン１１０のＩＮ20への入力がＨiレベルとなる。一方、フォトカプラ１２０の発光ダイオード１２０ａへの通電が遮断されているときには受光トランジスタ１２０ｂがＯＦＦ状態となるため、マイコン１１０のＩＮ20への入力がＬoレベルとなる。
【００３０】
そのため、マイコン１１０は、ＩＮ20に入力される電圧のレベル（Ｈi／Ｌo）を検知することで、暖房端末装置１から送信される信号を受信することができる。そして、マイコン１１０は、暖房端末装置１から前記「応答要求信号」を受信したときに、ＯＵＴ20の出力をＨiレベルとＬoレベルとに切替えて、「応答信号」を返信する。
【００３１】
ここで、暖房端末装置１の通信仕様検知手段１１は、前記「応答要求信号」を送信した後は、ＯＵＴ10の出力をＬoレベルに維持する。そのため、熱源機１００のマイコン１１０がＯＵＴ20の出力をＨiレベル／Ｌoレベルに切替えると、それに応じて、暖房端末装置１のフォトカプラ２０の発光ダイオード２０ａに通電された状態と、該発光ダイオード２０ａへの通電が遮断された状態とが切り替る。
【００３２】
そして、フォトカプラ２０の発光ダイオード２０ａに通電されているときは、受光トランジスタ２０ｂがＯＮ状態となるためマイコン１０のＩＮ10に入力される電圧がＬoレベルとなる。一方、フォトカプラ２０の発光ダイオード２０ａへの通電が遮断されているときには、受光トランジスタ２０ｂがＯＦＦ状態となるためマイコン１０のＩＮ10に入力される電圧がＨiレベルとなる。そのため、暖房端末装置１の通信仕様検知手段１１は、ＩＮ10に入力される電圧のレベル（Ｈi／Ｌo）を検知することで、熱源機１００から送信される「応答信号」を受信することができる。
【００３３】
そこで、通信仕様検知手段１１は、このように、「応答要求信号」を送信してから所定時間内に「応答信号」を受信したときは、接続された熱源機が双方向通信仕様の熱源機１００であると検知することができる。
【００３４】
それに対して、暖房端末装置１が一方向通信仕様の熱源機１５０と接続されたときには、熱源機１５０から暖房端末装置１への送信はできないため、暖房端末装置１から「応答要求信号」を送信しても「応答信号」は返信されない。そのため、通信仕様検知手段１１は、「応答要求信号」を送信してから所定時間内に「応答信号」を受信しなかったときには、接続された熱源機が一方向通信仕様の熱源機１５０であると検知することができる。
【００３５】
そして、通信仕様検知手段１１により、暖房端末装置１と接続された熱源機が双方向通信仕様の熱源機１００であると検知されたときは、双方向通信手段１２によって、熱源機１００との間で双方向通信を行う。具体的には、双方向通信制御手段１２は、ＯＵＴ10の出力をＨiレベル／Ｌoレベルに切替えることで、熱源機１００に信号を送信する。また、ＩＮ10に入力される電圧のレベルを認識することで、双方向通信制御手段１２は熱源機１００から送信される信号を受信する。
【００３６】
また、通信仕様検知手段１１により、暖房端末装置１と接続された熱源機が一方向通信仕様の熱源機１５０であると検知されたときには、一方向通信制御手段１３によって、熱源機１５０との間で一方向通信を行う。具体的には、一方向通信制御手段１５は、ＯＵＴ11の出力をＨiレベル／Ｌoレベルに切替えることで、熱源機１５０に信号を送信する。
【００３７】
なお、本第１の実施形態では、本発明の第２のスイッチ回路としてフォトカプラ２２を用いたが、リレーを用いてもよい。
【００３８】
また、第１の導通路５には抵抗３５，３６が接続されているため、第１の通電路５のインピーダンスは第２の通電路６よりも高くなる。そして、第１の導通路５のインピーダンスを熱源機１００の信号の入出力インピーダンスに整合させ、第２の導通路６のインピーダンスを熱源機１５０の信号の入力インピーダンスに整合させることで、効率良く通信を行うことができる。
【００３９】
［第２の実施の形態］次に、図２を参照して、第２の実施形態について説明する。図２に示した暖房端末装置２００は、例えば温風暖房機や床暖房機であり、上述した第１の実施形態の暖房装置１００と同様に、双方向通信仕様の熱源機１００（図１参照）又は一方向通信仕様の熱源機１５０（図２参照）と通信可能に接続されて使用される。そして、熱源機１００又は熱源機１５０から供給される温水等の熱媒を熱源として暖房運転を行うものである。
【００４０】
暖房端末装置２００は、レセプタクル４０の第１の端子４０ａと第２の端子４０ｂ間に、１つの通電路２０１のみが接続されている点が、２つの通電路（第１の通電路５及び第２の通電路６）が接続された前記第１の実施形態における暖房端末装置１と相違する。また、図１に示したフォトカプラ２２を備えておらず、第１の通電路５中に設けられた抵抗２１０と並列に接点２２０ｂが接続されたリレー２２０（本発明の第２のスイッチ回路に相当する）を備えている点が、前記第１の実施形態における暖房端末装置１と相違する。なお、図１に示した暖房端末装置１と同一の構成については、同一の符号を付して説明を省略する。
【００４１】
リレー２２０のコイル２２０ａの一端は電源Ｖ1に接続され、マイコン１０の出力端子ＯＵＴ11に接続されている。この場合、マイコン１０のＯＵＴ11の出力電圧がＬoレベル（≒０Ｖ）であるときは、リレー２２０のコイル２２０ａに通電されてリレー２２０の接点２２０ｂが閉（導通）状態となる。また、マイコン１０のＯＵＴ11の出力電圧がＨiレベル（≒Ｖ1）であるときには、リレー２２０のコイル２２０ａへの通電が遮断されてリレー２２０の接点２２０ｂが開（遮断）状態となる。
【００４２】
そのため、ＯＵＴ11の出力がＨiレベルであるときは、第１の通電路５に抵抗２１０が挿入された状態となり、ＯＵＴ11の出力がＬoレベルであるときには、抵抗２１０がバイパスされて第１の通電路５のインピーダンスが低下する。
【００４３】
ここで、抵抗２１０の抵抗値は、一方向通信仕様の熱源機１５０と接続されたときに、リレー２２０の接点２２０ｂが開状態であるときはバッファ１７０への供給電流が制限されて、バッファ１７０の出力がＨiレベルとなり、リレー２２０の接点２２０ｂが閉状態であるときにはバッファ１７０への供給電流により、バッファ１７０の出力がＬoレベルとなるように、設定されている。そして、マイコン１０の一方向通信制御手段１３は、ＯＵＴ11の出力をＨiレベル／Ｌoレベルに切替えることにより、一方向通信仕様の熱源機１５０に信号を送信する。
【００４４】
また、通信仕様検知手段１１は、上述した第１の実施形態と同様に、暖房端末装置２００が設置されて最初に電源が投入されたときに、通信ケーブル５０ａ，５０ｂ（図１参照）を介して接続された熱源機が、双方向通信仕様の熱源機１００（図１参照）であるか一方向通信の熱源機１５０であるかを判断する処理を行う。
【００４５】
具体的には、暖房端末装置２０が設置されて最初に電源が投入され、マイコン１０が作動を開始したときに、通信仕様検知手段１１は、ＯＵＴ11の出力をＨiレベルとしてリレー２２０の接点２２０ｂを開状態とし、通電路２０１のインピーダンスが高い状態とする。そして、通信仕様検知手段１１は、ＯＵＴ10の出力をＨiレベル／Ｌoレベルに切替えて、「応答要求信号」を送信し、「応答信号」が返信されたときは接続された熱源機が双方向通信仕様の熱源機１００であると検知し、「応答信号」が返信されなかったときには接続された熱源機が一方向通信仕様の熱源機１５０であると検知する。
【００４６】
そして、通信仕様検知手段１１により、暖房端末装置２００と接続された熱源機が双方向通信仕様の熱源機１００であると検知されたときは、双方向通信制御手段１２により、熱源機１００との間で双方向通信が実行される。また、通信仕様検知手段１１により、暖房端末装置２００と接続された熱源機が一方向通信仕様の熱源機１５０であると検知されたときには、一方向通信制御手段１３により、熱源機１５０との間で一方向通信が実行される。
【００４７】
なお、本第２の実施形態では、抵抗２１０をリレー２２０の接点２２０ｂによりバイパスする構成としたが、トランジスタ等の無接点によりバイパスする構成としてもよい。
【００４８】
また、リレー２２０の接点２２０ｂを開状態としたときの通電路２０１のインピーダンスを熱源機１００の信号入出力回路のインピーダンスに整合させ、リレー２２０の接点２２０ｂを閉状態としたときの通電路２０１のインピーダンスを熱源機１５０の信号入出力回路のインピーダンスに整合させることで、効率良く通信を行うことができる。
【図面の簡単な説明】
【００４９】
【図１】本発明の第１の実施の形態における暖房端末装置の回路構成と熱源機との接続態様の説明図。
【図２】本発明の第２の実施の形態における暖房端末装置の回路構成の説明図。
【符号の説明】
【００５０】
１…（第１の実施形態の）暖房端末装置、５…第１の通電路、１０…マイコン、１１…通信仕様検知手段、１２…双方向通信制御手段、１３…一方向通信制御手段、２０…フォトカプラ（通電検出手段）、２１…フォトカプラ（第１のスイッチ回路）、２２…フォトカプラ（第２のスイッチ回路）、４０ａ…第１の端子、４０ｂ…第２の端子、１００…（双方向通信仕様の）熱源機、１５０…（一方向通信仕様の）熱源機、２００…（第２の実施形態の）暖房端末装置、２２０…リレー（第２のスイッチ回路）
【図１】
0004499624.tif 000002
【図２】
0004499624.tif 000003